(57)【要約】【課題】不平衡伝送用コネクタと平衡伝送用コネクタの双方に好適に適用可能な利便性の高いコネクタ部品を提供すること。【解決手段】絶縁体で形成され、プラグとの導通を行なうためのコンタクト部材が取り付けられるコネクタ部品であって、前記プラグ側のコンタクト部材が挿入される略Ｉ字状の孔部が複数個、貫通形成されていることを特徴とするコネクタ部品。略Ｉ字状の孔部における中央部の長手部分には、例えばグランドコンタクトが取り付けられ、この場合、略Ｉ字状の孔部における端部に信号コンタクトが取り付けられる。【選択図】図３
2011018621.tif 000002
【特許請求の範囲】
【請求項１】
絶縁体で形成され、プラグとの導通を行なうためのコンタクト部材が取り付けられるコネクタ部品であって、
前記プラグ側のコンタクト部材が挿入される略Ｉ字状の孔部が複数個、貫通形成されていることを特徴とする、
コネクタ部品。
【請求項２】
請求項１に記載のコネクタ部品にコンタクト部材を取り付けたコネクタ。
【請求項３】
平行伝送に用いられる請求項２に記載のコネクタであって、
前記略Ｉ字状の孔部における中央部の長手部分にグランドコンタクトが取り付けられ、
前記略Ｉ字状の孔部における端部に信号コンタクトが取り付けられた、
コネクタ。
【請求項４】
不平衡伝送に用いられる請求項２に記載のコネクタであって、
前記略Ｉ字状の孔部における一方の端部にグランドコンタクトが取り付けられ、
前記略Ｉ字状の孔部における他方の端部に信号コンタクトが取り付けられた、
コネクタ。
【発明の詳細な説明】
【技術分野】
【０００１】
本発明は、絶縁体で形成されるコネクタ部品、及びこれを用いたコネクタに関する。
【背景技術】
【０００２】
従来、コンピュータや基板間でデータを伝送する際の伝送方式として、信号をグランド電位に対する電圧として送る不平衡伝送 (unbalanced transmission)や、２本の対等な信号線のペアを用いて、信号をその信号線ペアのあいだの電位差として送る平衡伝送(balanced transmission)が採用されている。不平衡伝送で送受信される信号はシングル・エンド(single end)信号と称され、平衡伝送で送受信される信号は差動信号 (differential signal)と称されている。
【０００３】
平衡伝送は、不平衡伝送に比してノイズの影響を受けにくい等の利点を有しており、その利用範囲が拡大しているが、信号線が２本必要であるためにコストが増大するという一面があり、不平衡伝送が採用されている場面も多い。
【０００４】
ところで、不平衡伝送のための信号線に対応したコネクタと、平衡伝送のための信号線に対応したコネクタでは、プラグピンが挿入される孔部の形状が異なるものとなる。図１は、一般的な不平衡伝送用コネクタと、これに接続されるプラグ側コンタクト５５の形状を示す図である。また、図２は、一般的な平衡伝送用コネクタと、これに接続されるプラグ側コンタクト６５の形状を示す図である。
【０００５】
図１に示す不平衡伝送用コネクタ５０に接続されるプラグにおいては、ジャック側に信号を伝送するためのプラグ側信号コンタクト５６と、ジャック側とグランド電位を共有するためのプラグ側グランドコンタクト５７が対になって所定間隔で並んでおり、２列のコンタクト列を形成している。ここで、信号コンタクト５６とグランドコンタクト５７は、それぞれが１列のコンタクト列を形成するように配設されてもよいし、各コンタクト列において信号コンタクト５６とグランドコンタクト５７が交互に表れるように配設されてもよい。各コンタクトは、プラグの背部等に接続された信号線又はグランド線に接続される。
【０００６】
不平衡伝送用コネクタ５０は、電気絶縁性を有する合成樹脂製のモールド部品である絶縁体５１を筐体として構成される。絶縁体５１には、プラグの各コンタクトの位置に対応するように、複数の孔部５２が貫通形成されている。そして、この複数の孔部５２のそれぞれの内部には、プラグ側信号コンタクト５６又はプラグ側グランドコンタクト５７が挿入されて導通するためのジャック側コンタクト（図示せず）が配設されている。
【０００７】
プラグ側コンタクトとジャック側コンタクトは、不平衡伝送用コネクタ５０にプラグが差し込まれると、圧接されて安定的に導通する。
【０００８】
一方、図２に示す平衡伝送用コネクタ６０に接続されるプラグにおいては、ジャック側に信号を伝送するための一対のプラグ側信号コンタクト６６、６７と、グランド電位をジャック側と共有するためのプラグ側グランドコンタクト６８が、所定間隔で交互に並んでいる。なお、図２ではプラグ側グランドコンタクト６８に隠れているが、プラグ側信号コンタクト６６、６７の形状は、図１でプラグ側信号コンタクト５６やプラグ側グランドコンタクト５７として示したような形状となる。
【０００９】
一対のプラグ側信号コンタクト６６、６７は、伝送すべき＋信号と、この＋信号とは大きさが等しく逆向きの−信号とを伝送するためのものである。不平衡伝送用コネクタ５０の場合と同様、一対のプラグ側信号コンタクト６６、６７は、＋信号を伝送するものと−信号を伝送するものがそれぞれ一の信号コンタクト列を形成するように配設されてもよいし、各コンタクト列において＋信号を伝送するものと−信号を伝送するものが交互に表れるように配設されてもよい。
【００１０】
平衡伝送用コネクタ６０は、電気絶縁性を有する合成樹脂製のモールド部品である絶縁体６１を筐体として構成される。絶縁体６１には、プラグの各コンタクトの位置に対応するように、複数の孔部６２、６３、６４が形成されている（図１とは異なり、プラグ側信号コンタクト６６、６７、プラグ側グランドコンタクト６８が挿入される孔部を区別している）。孔部６２、６３にはプラグ側信号コンタクト６６、６７が挿入され、孔部６４にはプラグ側グランドコンタクト６８が挿入される。そして、この複数の孔部６２、６３、６４のそれぞれの内部には、プラグ側信号コンタクト６６、６７、又はプラグ側グランドコンタクト６８が挿入されて導通するためのジャック側コンタクト（図示せず）が配設されている。
【００１１】
このように、不平衡伝送用コネクタと平衡伝送用コネクタでは、プラグ側コンタクトの大きさや配列が異なるため、絶縁体における孔部の形成パターンが異なるものとなる。このため、絶縁体で形成されるコネクタ部品を異なる製造ラインで製造しなければならないという事情があった。
【００１２】
特許文献１では、同一の絶縁体を用いて異なる信号コンタクト及びグランドコンタクトの配置を実現したレセクタブル（コネクタ）についての発明を開示している（図１１、１２参照）。
【先行技術文献】
【特許文献】
【００１３】
【特許文献１】特開平１１−２５０９９６号公報
【発明の概要】
【発明が解決しようとする課題】
【００１４】
しかしながら、上記特許文献１に記載のコネクタは、特殊な形状のプラグにのみ対応可能であり、汎用性が低い。また、平行伝送用として用いられる場合（図１２）、異なる対の信号コンタクトの間にグランドコンタクトが存在しない部分が多く、電磁的な遮蔽が不十分である。従って、利便性が低い上に、不平衡伝送用コネクタと平衡伝送用コネクタの双方に好適に適用可能であるとはいえない。
【００１５】
本発明はこのような課題を解決するためのものであり、不平衡伝送用コネクタと平衡伝送用コネクタの双方に好適に適用可能な利便性の高いコネクタ部品を提供することを、主たる目的とする。
【課題を解決するための手段】
【００１６】
上記目的を達成するための本発明の第１の態様は、
絶縁体で形成され、プラグとの導通を行なうためのコンタクト部材が取り付けられるコネクタ部品であって、
前記プラグ側のコンタクト部材が挿入される略Ｉ字状の孔部が複数個、貫通形成されていることを特徴とする、
コネクタ部品である。
【００１７】
ここで、略Ｉ字形状の縦横比などについて特段の制限は存在しない。
【００１８】
この本発明の第１の態様によれば、不平衡伝送用コネクタと平衡伝送用コネクタの双方に好適に適用可能な利便性の高いコネクタ部品を提供することができる。
【００１９】
本発明の第２の態様は、本発明の第１の態様のコネクタ部品にコンタクト部材を取り付けたコネクタである。
【００２０】
また、平行伝送に用いられる本発明の第２の態様のコネクタにおいて、
前記略Ｉ字状の孔部における中央部の長手部分にグランドコンタクトが取り付けられ、
前記略Ｉ字状の孔部における端部に信号コンタクトが取り付けられたものとしてもよい。
【００２１】
また、不平行伝送に用いられる本発明の第２の態様のコネクタにおいて、
前記略Ｉ字状の孔部における一方の端部にグランドコンタクトが取り付けられ、
前記略Ｉ字状の孔部における他方の端部に信号コンタクトが取り付けられたものとしてもよい。
【発明の効果】
【００２２】
本発明によれば、不平衡伝送用コネクタと平衡伝送用コネクタの双方に好適に適用可能な利便性の高いコネクタ部品を提供することができる。
【図面の簡単な説明】
【００２３】
【図１】一般的な不平衡伝送用コネクタと、これに接続されるプラグ側コンタクトの形状を示す図である。
【図２】一般的な平衡伝送用コネクタと、これに接続されるプラグ側コンタクトの形状を示す図である。
【図３】本発明の一実施例に係る絶縁体１０を含むコネクタ１の外観構成図である。
【図４】本発明の一実施例に係る絶縁体１０が有する複数の孔部１２の形状を平面的に示した図である。
【図５】一対のプラグ側信号コンタクト及びプラグ側グランドコンタクトの形状を例示した図である。
【図６】第２の矩形部１２Ｂ及び第３の矩形部１２Ｃの内部に形成されるコンタクト列の配列パターンを例示したものである。
【図７】一対のプラグ側信号コンタクト、及びプラグ側グランドコンタクトの形状を例示した図である。
【図８】複数の孔部１２の内部に形成されるコンタクト列の配列パターンを例示したものである。
【図９】信号線となる一対の芯線が、縦に立てられた状態でプラグの長手方向に並ぶように保持部材７０によって保持される様子を示す図である。
【図１０】一対の芯線が、内部基板の一方の面と、これと反対側の面にそれぞれ接続される様子を示す図である。
【図１１】信号線となる一対の芯線が、横に寝かされた状態でプラグの長手方向に並ぶように保持部材８０によって保持される様子を示す図である。
【図１２】保持部材８０が複数個積層され、一対の芯線が、内部基板７５の一の面に接続される様子を示す図である。
【図１３】孔部８２の両端部に面取り部８２Ｂが形成される様子を示す図である。
【図１４】保持部材８０を積層させる際に、積層用突起８４及び積層用孔部８６を用いて位置決めを行なう様子を示す図である。
【発明を実施するための形態】
【００２４】
以下、本発明を実施するための形態について、添付図面を参照しながら実施例を挙げて説明する。
【実施例】
【００２５】
以下、図面を参照し、本発明の一実施例に係る絶縁体１０（特許請求の範囲における「コネクタ部品」に相当する）を筐体として備えるコネクタ１について説明する。図３は、本発明の一実施例に係る絶縁体１０を含むコネクタ１の外観構成図である。
【００２６】
コネクタ１は、例えば基板に表面実装され、図示しないプラグが挿入されることにより、プラグに接続されたケーブルの先に接続された機器と基板が電気的に接続される。また、この逆に、プラグが基板に表面実装され、コネクタ１がケーブルに接続されてもよいし、コネクタ１とプラグがケーブル同士を接続させても構わない。
【００２７】
また、プラグが他の基板に実装されるものであってもよい。この場合、コネクタ１は、基板同士を接続させる。このように、本実施例に係るコネクタ１が接続させる対象物に特段の制約はない。
【００２８】
なお、図３では、絶縁体１０は、コネクタ１のハウジング（筐体）として機能するものとして表現したが、本発明における「コネクタ部品」は、孔部１２が形成された前面パネルのみを指すものであっても構わない。
【００２９】
［プラグについて］
まず、コネクタ１に接続されるプラグについて説明する。プラグは、コネクタ１に挿入される複数のプラグ側コンタクトを有する。
【００３０】
（Ａ）本実施例のコネクタ１が不平衡伝送のためのコネクタである場合、プラグ側コンタクトは、プラグ側信号コンタクト及びプラグ側グランドコンタクトが対になって複数組形成される。これらの組は、所定間隔をもって並べられる。これらのプラグ側コンタクトは、導電性の金属材によって形成されており、コネクタ１に接続される側とは反対の側において内部基板に接続され、この内部基板が高速伝送用のケーブル（或いは他の基板）に接続される。
【００３１】
高速伝送用のケーブルが接続されている場合、このケーブルは例えば同軸ケーブルであり、中心軸から順に、信号線となる銅製の芯線、樹脂製の絶縁体、編組線からなるシールド線、樹脂製の保護膜が順次積層されている。ケーブルの芯線はプラグ側信号コンタクトに接続され、シールド線はプラグ側信号グランドコンタクトに接続される。
【００３２】
（Ｂ）本実施例のコネクタ１が平衡伝送のためのコネクタである場合、プラグ側コンタクトは、＋信号と−信号を伝送するための一対のプラグ側信号コンタクト、及びプラグ側グランドコンタクトが、所定間隔をもって交互に並べられる。これらのプラグ側コンタクトは、導電性の金属材によって形成されており、コネクタ１に接続される側とは反対の側において内部基板に接続され、この内部基板が高速伝送用のケーブル（或いは他の基板）に接続される。
【００３３】
高速伝送用のケーブルが接続されている場合、このケーブルは例えばツイストペアケーブルであり、信号線となる一対の銅製の芯線、樹脂製の絶縁体、及びグランド線が、樹脂製の保護膜に包含されている。ケーブルの一対の芯線は一対のプラグ側信号コンタクトに接続され、シールド線はプラグ側信号グランドコンタクトに接続される。
【００３４】
［コネクタについて］
次に、コネクタ１の基本的構成等について説明する。
【００３５】
絶縁体１０は、電気絶縁性を有する合成樹脂（例えば、ＬＣＰ（Liquid Crystal Polymer）等の熱可塑性樹脂）を成型したモールド部品である。絶縁体１０には、プラグ（図示せず）の各コンタクトの位置に対応するように、複数の孔部１２が貫通形成されている。絶縁体１０の背面には、コネクタ１をプリント基板等に実装する際に用いられる固定ネジ（図示せず）が挿入される挿入孔等が形成されている。
【００３６】
各孔部１２の内側には、プラグ側コンタクトが圧接されることによりプラグ側コンタクトと導通するジャック側コンタクトが取り付けられる。ジャック側コンタクトは、りん青銅等の導電性の金属材によって形成される。
【００３７】
プラグ側コンタクトとジャック側コンタクトの圧接態様には、ナイフ・フォーク、ベローズ等の種類が存在するが、本発明の適用上、プラグ側コンタクトとジャック側コンタクトの圧接態様に関して、特段の制限は存在しない。すなわち、プラグ側コンタクトが凸形状であり、これが押し込まれるとジャック側コンタクトがプラグ側コンタクトを挟み込むように圧接するものであってもよいし、プラグ側コンタクトが蛇腹形状であり、狭い通路に押し込まれることによってジャック側コンタクトに圧接されるものであってもよいし、その他の態様であってもよい。
【００３８】
ジャック側コンタクトは、プラグ側コンタクトが圧接される側とは逆の側において、リード線等を介してプリント基板等に接続される。
【００３９】
以上のような構成において、プラグがコネクタ１に接続されると、プラグに接続されたケーブルの先に接続された機器（或いはプラグが実装された他の基板）と、プリント基板等が電気的に接続される。
【００４０】
［特徴的な形状について］
次に、本発明の特徴的な部分である複数の孔部１２の形状、及びこれに挿入されるプラグ側コンタクトの形状等について説明する。
【００４１】
絶縁体１０において、各孔部１２は、図３に示したように、略Ｉ字形状となるように形成されており、絶縁体１０の長手方向に沿って一定の間隔で設けられている。また、各孔部１２は、プラグ側コンタクトが挿入しやすいように、入り口付近において面取りがなされ、テーパー部が形成されている。
【００４２】
図４は、本発明の一実施例に係る絶縁体１０が有する複数の孔部１２の形状を平面的に示した図である。各孔部１２は、Ｉ字の中央部を形成する第１の矩形部１２Ａと、Ｉ字の両端部を形成する第２の矩形部１２Ｂ、及び第３の矩形部１２Ｃとが連通してなる。
【００４３】
第１の矩形部１２Ａは、第２の矩形部１２Ｂ及び第３の矩形部１２Ｃに比して若干サイズが大きくなっており、平衡伝送が行なわれる場合のジャック側グランドコンタクトを内包するのに適している。
【００４４】
一方、第２の矩形部１２Ｂ及び第３の矩形部１２Ｃは、第１の矩形部１２Ａに比して若干サイズが小さくなっており、平衡伝送が行なわれる場合の一対のジャック側信号コンタクト、或いは不平衡伝送が行なわれる場合の一対のジャック側信号コンタクト及びジャック側グランドコンタクトを内包するのに適している。
【００４５】
従って、絶縁体１０は、不平衡伝送用コネクタと、平衡伝送用コネクタのいずれにも利用可能な形状となっている。
【００４６】
（Ａ）コネクタ１が不平衡伝送用コネクタとして用いられる場合、コネクタ１に接続されるプラグのプラグ側コネクタは、前述の如く、プラグ側信号コンタクト及びプラグ側グランドコンタクトとが対になって複数組形成される。この場合、プラグ側信号コンタクトとプラグ側グランドコンタクトは同一のものを用いることができる。
【００４７】
図５は、一対のプラグ側信号コンタクト及びプラグ側グランドコンタクトの形状を例示した図である。図５では、プラグ側信号コンタクト２０が紙面における右上側、プラグ側グランドコンタクト２２が左下側としている。この場合、プラグ側信号コンタクト２０は、第２の矩形部１２Ｂに嵌合するように挿入される。
【００４８】
プラグ側信号コンタクト２０が根本付近まで第２の矩形部１２Ｂに押し込まれると、プラグ側信号コンタクト２０の両側に形成された保持部２０Ａ、２０Ｂが、第２の矩形部１２Ｂの左右端部（ここではコネクタ１の長手方向を横方向とする）１２Ｂａ、１２Ｂｂにそれぞれ噛合する。これによって、プラグ側信号コンタクト２０とコネクタ１を、プラグ側信号コンタクト２０の挿入される方向に関して略固定することができる。
【００４９】
また、プラグ側信号コンタクト２０は、第２の矩形部１２Ｂの左右端部１２Ｂａ、１２Ｂｂに当接することによってコネクタ１の長手方向に関して変位が制限され、第２の矩形部１２Ｂの上端部１２Ｂｃ及び下端部１２Ｂｄ、１２Ｂｅに当接することによってコネクタ１の短手方向に関して変位が制限される。
【００５０】
同様に、プラグ側グランドコンタクト２２は、第３の矩形部１２Ｃに嵌合するように挿入される。
【００５１】
プラグ側グランドコンタクト２２が根本付近まで第３の矩形部１２Ｃに押し込まれると、プラグ側グランドコンタクト２２の両側に形成された保持部２２Ａ、２２Ｂが、第３の矩形部１２Ｃの左右端部１２Ｃａ、１２Ｃｂにそれぞれ噛合する。これによって、プラグ側グランドコンタクト２２とコネクタ１を、プラグ側グランドコンタクト２２の挿入される方向に関して略固定することができる。
【００５２】
また、プラグ側グランドコンタクト２２は、第３の矩形部１２Ｃの左右端部１２Ｃａ、１２Ｃｂに当接することによってコネクタ１の長手方向に関して変位が制限され、第３の矩形部１２Ｃの上端部１２Ｃｃ、１２Ｃｄ及び下端部１２Ｃｅに当接することによってコネクタ１の短手方向に関して変位が制限される。
【００５３】
これらにより、プラグ側信号コンタクトが孔部１２に挿入されてプラグがコネクタ１に接続された後に、コネクタ１に与えられた振動等によってプラグ側信号コンタクトがコネクタ１に対して変位し、接続不良を起こす等の不都合を抑制することができる。
【００５４】
図６は、第２の矩形部１２Ｂ及び第３の矩形部１２Ｃの内部に形成されるコンタクト列の配列パターンを例示したものである。本図においては、各コンタクト列において、ジャック側信号コンタクトとジャック側グランドコンタクトが交互に表れるように配列されている。
【００５５】
（Ｂ）コネクタ１が平衡伝送用コネクタとして用いられる場合、コネクタ１に接続されるプラグのプラグ側コネクタは、前述の如く、一対のプラグ側信号コンタクト、及びプラグ側グランドコンタクトの組み合わせが、複数組形成される。より具体的には、一対のプラグ側信号コンタクトとプラグ側グランドコンタクトが交互に表れるようにコネクタ１の長手方向に並べられる。この場合、一対のプラグ側信号コンタクトは同一のものを用いることができる。
【００５６】
図７は、一対のプラグ側信号コンタクト、及びプラグ側グランドコンタクトの形状を例示した図である。プラグ側信号コンタクト３０、３２は、一方が＋信号を、他方が−信号を伝送するためのものである。プラグ側グランドコンタクト３４は、異なる組のプラグ側信号コンタクト３０、３２間における電磁的な干渉を抑制するために、プラグ側信号コンタクト３０、３２よりも大きく形成されている。
【００５７】
プラグ側信号コンタクト３０は、第２の矩形部１２Ｂに嵌合するように挿入される。また、プラグ側信号コンタクト３２は、第３の矩形部１２Ｃに嵌合するように挿入される。プラグ側信号コンタクト３０、３２は、それぞれ保持部３０Ａ、３０Ｂ、３２Ａ、３２Ｂを有し、上記（Ａ）のコネクタ１が不平衡伝送用コネクタとして用いられる場合と同様に、コネクタ１に対する各方向の変位が制限される。従って、コネクタ１に与えられた振動等によって接続不良を起こす等の不都合を抑制することができる。
【００５８】
また、プラグ側グランドコンタクト３４は、第２の矩形部１２Ｂの中央部から第１の矩形部１２Ａを経て第３の矩形部１２Ｃの中央部に至る矩形領域に嵌合するように挿入される。
【００５９】
プラグ側グランドコンタクト３４が根本付近まで上記矩形領域に押し込まれると、プラグ側グランドコンタクト３４の両側に形成された保持部３４Ａ、３４Ｂが、第２の矩形部１２Ｂの上端部１２Ｂｃ、及び第３の矩形部１２Ｃの下端部１２Ｃｅにそれぞれ噛合する。これによって、プラグ側グランドコンタクト３４とコネクタ１を、プラグ側グランドコンタクト３４の挿入される方向に関して略固定することができる。
【００６０】
また、プラグ側グランドコンタクト３４は、第１の矩形部１２Ａの左右端部１２Ａａ、１２Ａｂに当接することによってコネクタ１の長手方向に関して変位が制限され、第２の矩形部１２Ｂの上端部１２Ｂｃ及び第３の矩形部１２Ｃの下端部１２Ｃｅに当接することによってコネクタ１の短手方向に関して変位が制限される。
【００６１】
これらにより、プラグ側信号コンタクトが孔部１２に挿入されてプラグがコネクタ１に接続された後に、コネクタ１に与えられた振動等によってプラグ側信号コンタクトがコネクタ１に対して変位し、接続不良を起こす等の不都合を抑制することができる。
【００６２】
図８は、複数の孔部１２の内部に形成されるコンタクト列の配列パターンを例示したものである。本図においては、ジャック側信号コンタクトのうち＋信号を伝送するものと−信号を電素するものとを区別していない。図示するように、プラグ側グランドコンタクトは第２の矩形部１２Ｂの上端部１２Ｂｃから第３の矩形部１２Ｃの下端部１２Ｃｅに亘って延在することになり、異なる対の信号コンタクトの間を、十分に電磁的にシールド可能である。
【００６３】
以上説明したように、本実施例の特徴的な孔部形状を有する絶縁体１０は、不平衡伝送用コネクタと平衡伝送用コネクタの双方に、好適に適用可能なものであり、また、一般的な長細形状のプラグに対応可能であるため、利便性が高い。
【００６４】
従って、不平衡伝送用コネクタ用の絶縁体と、これとは異なる形状の孔部を有する平衡伝送用コネクタ用の絶縁体をそれぞれ製造する必要がなくなり、コネクタの製造コストを低減することができる。
【００６５】
また、本実施例の絶縁体１０を有するコネクタ１は、低コストで製造することが可能な上、プラグとの変位を制限することができるため、接続不良等の不都合を抑制でき、プラグとの導通を安定的に維持することができる。
【００６６】
更に、平行伝送用として用いられた場合、Ｉ字形状の最も長い部分にプラグ側グランドコンタクトが挿入されるため、異なる対の信号コンタクトの間を、十分に電磁的にシールドすることができる。
【００６７】
［ケーブル保持について］
次に、コネクタ１におけるケーブルの保持態様について説明する。以下、コネクタ１は平衡伝送用のコネクタであり、プラグにはツイストペアケーブルが接続されるものとする。なお、以下ではプラグ側のケーブル保持態様について説明するが、コネクタ１側にケーブルが接続される場合も同様の保持態様が採用されてよい。
【００６８】
一般的には、信号線となる一対の芯線は、縦に立てられた状態で（プラグ（及び／又はコネクタ１；以下略）の長手方向と一対の芯線の並ぶ向きが直交する状態で）プラグの長手方向に並ぶように保持部材７０によって保持される。図９は、係る様子を示す図である。保持部材７０は、図示するように、各ケーブルを完全には分離せずにこれらを保持している。
【００６９】
そして、一対の芯線の間に内部基板７５が位置するように保持部材７０と内部基板７５が固定され、各芯線は、内部基板の一方の面と、これと反対側の面にそれぞれ接続される。図１０は、係る様子を示す図である。
【００７０】
これらによって、＋信号の伝送経路と−信号の伝送経路の長さを略一致させ、電気的特性が異ならないようにしている。本実施例のプラグは、係る一般的な態様を採用しうるが、以下のような特徴的な態様を採用してもよい。
【００７１】
ところが、プラグ及びコネクタの長手方向の長さは規格によって定められており、無制限に長くできる訳ではない。従って、図９及び図１０に示した一般的な態様では、信号密度を高くするのに限界が生じる。また、図９に示したように、各ケーブルが分離せずに保持されている場合、外部から何らかの物理的な力が働いた場合に、ケーブルの保持に乱れが生じる場合がある。
【００７２】
そこで、本実施例のプラグでは、信号線となる一対の芯線を、横に寝かされた状態で（コネクタ１の長手方向と一対の芯線の並ぶ向きが平行になる状態で）プラグの長手方向に並ぶように保持部材８０によって保持される態様を採用しうる。図１１は、係る様子を示す図である。この場合、保持部材８０は複数個、積層され、一対の芯線は、内部基板７５の一の面に接続される。図１２は、係る様子を示す図である。一対の芯線を内部基板７５の一の面に接続することにより、内部基板７５の設計自由度を高めることができる場合がある。
【００７３】
保持部材８０を複数個、積層させることによって、ケーブル間の間隔を図９に示したものよりも広くすることができる。従って、図１１に示すように、各ケーブルを、独立した孔部８２によって保持することができる。これによって、保持部材８０の強度を、図９に示したものに比して高くすることができる。
【００７４】
孔部８２には、突起８２Ａを形成すると、ケーブルの変位をより確実に制限することができる。孔部８２の断面積は、ケーブルの断面積に比して小さくすると好適である。また、図１３に示すように、孔部８２の両端部には、ケーブルの挿抜が容易となるように面取り部８２Ｂを形成するとよい。
【００７５】
保持部材８０を積層させる際には、図１４に示すように、積層用突起８４及び積層用孔部８６を用いて位置決めを行なうと好適である。
【００７６】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【産業上の利用可能性】
【００７７】
本発明は、コンピュータ、及びその周辺機器の製造業等に利用可能である。
【符号の説明】
【００７８】
１    コネクタ
１０    絶縁体
１２    孔部
１２Ａ  第１の矩形部
１２Ｂ  第２の矩形部
１２Ｃ  第３の矩形部
２０、３０、３２  プラグ側信号コンタクト
２２、３４  プラグ側グランドコンタクト
２０Ａ、２０Ｂ、２２Ａ、２２Ｂ、４０Ａ、４０Ｂ、４２Ａ、４２Ｂ、４４Ａ、４４Ｂ  保持部
５０    不平衡伝送用コネクタ
６０    平衡伝送用コネクタ
７０    保持部材
７５    内部基板
８０    保持部材
８２    孔部
８２Ａ  突起
８２Ｂ  面取り部
８４    積層用突起
８６    積層用孔部
【図１】
2011018621.tif 000003
【図４】
2011018621.tif 000004
【図５】
2011018621.tif 000005
【図６】
2011018621.tif 000006
【図７】
2011018621.tif 000007
【図８】
2011018621.tif 000008
【図９】
2011018621.tif 000009
【図１０】
2011018621.tif 000010
【図１１】
2011018621.tif 000011
【図１２】
2011018621.tif 000012
【図１３】
2011018621.tif 000013
【図１４】
2011018621.tif 000014
【図２】
2011018621.tif 000015
【図３】
2011018621.tif 000016